(57)【要約】      （修正有）【課題】担持用としても、また自走としても使用で、ホッパーの容量を増量可能な散粒機を提供する。【解決手段】散粒物を収容するホッパー１２が上方へ開口した散粒機１を枠体２に吊設する。吊設した枠体２が自立可能で自走車に載置固定できる。枠体２に掛け紐３を着脱可能に係止するフック４を有し担持用として使用できる。上方へ開口したホッパー１２に連接して収容量の増加を図る筒体を冠設した。【選択図】図１
0003178529.tif 000002
【実用新案登録請求の範囲】
【請求項１】
散粒物を収容するホッパーが上方へ開口した散粒機を枠体に吊設したこと、吊設した枠体が自立可能であること、枠体に掛け紐を着脱可能に係止するフックを有すること、上方へ開口したホッパーに連接して収容量の増加を図る筒体を冠設可能としたことを特徴とする担持・自走兼用散粒機。
【請求項２】
筒体の周壁が上下方向にスライドして壁高を伸縮可能としたことを特徴とする請求項１記載の担持・自走兼用散粒機。
【請求項３】
複数の筒体を積層する連結重合片を上下端面に横設して連設可能としたことを特徴とする請求項１記載の担持・自走兼用散粒機。
【考案の詳細な説明】
【技術分野】
【０００１】
本考案は散粒機に関するものであり、詳しくは担持用として使用でき、また自走用としても使用可能な兼用散粒機に関するものである。
【背景技術】
【０００２】
従来の散粒機は、肩に掛けたり、背負ったりして散粒する担持用の散粒機と、散粒機が自走手段を有す自走車に取り付けられた自走用の散粒機とに明確に分かれている。
【０００３】
そして、担持用の散粒機は作業者が担架して使用するものであるから、担持重量に体力的に制約が生じ、ホッパーへ一度に収容する量が限られる。
一方、自走用の散粒機では、ホッパーの容量は大型のものでも支障が生じないものとなる。
【先行技術文献】
【特許文献】
【０００４】
【特許文献１】特開２００５−１９８６０３号公報
【特許文献２】実用新案登録第３１５３０６３号公報
【特許文献３】実開平０５−１３１２５号公報
【考案の概要】
【考案が解決しようとする課題】
【０００５】
そこで、本考案は担持用としても、また自走としても使用で、ホッパーの容量の問題点も解決した兼用可能な散粒機を提供せんとするものである。
【課題を解決するための手段】
【０００６】
本考案に係る担持・自走兼用散粒機の請求項１の考案は、散粒物を収容するホッパーが上方へ開口した散粒機を枠体に吊設したこと、吊設した枠体が自立可能であること、枠体に掛け紐を着脱可能に係止するフックを有すること、上方へ開口したホッパーに連接して収容量の増加を図る筒体を冠設したことを特徴とするものである。
【０００７】
請求項２の担持・自走兼用散粒機に係る考案は、請求項１の考案において、筒体の周壁が上下方向にスライドして壁高を伸縮可能としたことを特徴とするものである。
【０００８】
請求項３の担持・自走兼用散粒機に係る考案は、請求項１の考案において、複数の筒体を積層する連結重合片を上下端面に横設して連設可能としたことを特徴とするものである。
【考案の効果】
【０００９】
請求項１の考案は、散粒物を収容するホッパーが上方へ開口した散粒機を枠体に吊設し、吊設した枠体が自立可能であるため、自走車の台上へ容易に固定することができる効果を有するものである。
【００１０】
また、枠体に掛け紐を着脱可能に係止するフックを有するため、当該フックを利用して肩掛けロープや背負いロープを係止し、担持用として使用することができる効果を発揮する。
【００１１】
さらに、上方へ開口したホッパーに連接して収容量の増加を図る筒体を冠設可能としたものであるから、担持用又は自走用に応じたホッパーの容量を選択調整できる効果も発揮する。
【００１２】
請求項２の考案は、請求項１の効果に加えて、筒体の周壁が上下方向にスライドして伸縮可能あるから、極めて容易に、筒体の壁高を担持用又は自走用に応じたホッパーの容量に調整できる効果を発揮するものである。
【００１３】
請求項３の考案は、請求項１の効果に加えて、複数の筒体を積層する連結重合片を上下端面に横設して連設可能としたため、請求項２と同様に極めて容易に、筒体の壁高を担持用又は自走用に応じたホッパーの容量に調整できる効果を発揮するものである。
【図面の簡単な説明】
【００１４】
【図１】本考案の一実施の形態を示す担持用時の正面図である。
【図２】図１の側面図である。
【図３】図１の自走用時の形態を示す側面図である。
【図４】他の実施の形態を示す担持用時正面図である。
【図５】図４の自走用時の形態を示す側面図である。
【考案を実施するための形態】
【００１５】
本考案の実施の形態を図面に基づいて説明する。
図１は本考案の一実施の形態を示す担持用時の正面図、図２は同側面図であり、散粒機１、散粒機１を吊設する枠体２及び掛け紐３より構成し、掛け紐３を肩或いは首に掛けて散粒機１の散布口１１から肥料等を飛散するものである。
【００１６】
散粒機１は、市販されている公知の一般的な機器を用いることが可能であり、実施の形態において、上部にホッパー１２が上方に開口し、ホッパー１２へ投入する例えば肥料が、直下の整流部１３を経て推進機構部１４で噴出力を得、散布口１１から飛散するものである。
また、符号１５は動力源で電池が収容されている。
【００１７】
枠体２は、散粒機１を囲繞する恰好で、金属製の棒体を上下位置に対向して水平枠体２１、２２に周設し、水平枠体２１、２２間には連結杆２３、２３・・が連繋して周囲に配置されている。
そして、上部水平枠体２１と散粒機１のホッパー１２の上部周囲とが当接し、溶着等の適宜手段で一体に連結され、下部水平枠体２２は連結された散粒機１よりも下方に位置している。
したがって、散粒機１が枠体２に吊設され出た状態で一体に連結していると共に、枠体１は下部水平枠体２２により自立可能と成っている。
【００１８】
また、正面中央から側方へ９０度の位置に、互いに１８０度離れてフック４，４が設けて有り、当該フック４、４を利用して掛け紐３の端部を係止することができる。
したがって、作業者が当該掛け紐３を肩或いは首に掛けて散粒機１を装着し、散布口１１から肥料等を飛散させ、肥料等の散布作業を為すことができるものである。
【００１９】
図３は、図１の散粒機１における自走用時の形態を示す側面図であり、ホッパー１２の上端面に連結重合片１６が横設してあり、この連結重合片１６には透孔が適宜数穿設されている。
一方、ホッパー１２の上部横断面形状と同一の横断面を有する筒体５の上下端面にも連結重合片５１、５２が形成してあり、この連結重合片５１、５２にも、ホッパー１２の連結重合片１６の透孔に対応した位置に透孔が適宜数穿設してある。
【００２０】
そこで、ホッパー１２上に筒体５を重ね、更にその上に筒体５を複数積層し、重合した連結重合片１６と５１及び連結重合片５２と５１の対応する透孔同士を、ボルト・ナット６により連結することで、散粒機１のホッパー１２の容量を本来よりも増量することができるものとなる。
【００２１】
したがって、自走車（図面では一輪車）に載置し、自立可能と成っている下部環体２２を任意手段で固定し、一時に大量の肥料等をホッパー１２（筒体５を含む）に投入し、効率的な作業を行なえることになる。
【００２２】
図４及び図５は他の実施の形態を示す散粒機１であり、ホッパー１２の上部壁面を重合して構成し、重合した上部壁面の一方を上下方向へスライドさせることによって、ホッパー１２の容量の増減を調節せんとするものである。
【００２３】
即ち、ホッパー１２の上部が本体壁と内側壁７の二重壁で構成され、ホッパー１２の上部外面に設けたガイド環９、９が設けられ、一方、内側壁７の上端部から本体壁の外側へ垂下してガイドロッド８、８が設けられ、このガイドロッド８、８が前記ガイド環９、９の垂直孔に緩挿して関係している。
また、係止ピン１０、１０がガイド環９、９の水平孔と、及びガイドロッド８、８の上下方向に複数設けた適宜の水平孔とを貫通して係止し、上下方向にスライドする内側壁７の高さを調節可能としている。
尚、図中８１はストッパーである。
【００２４】
したがって、担持して作業する時は、内側壁７を下げてホッパー１２の容量を少なくし（図４）、自走用として使用する時は、内側壁７を上方へスライドさせてホッパー１２の容量を増量させることができるものとなる（図５）。
【００２５】
以上のように、本発明を図面に基づいて説明した。
しかし、図面に記載した実施の形態における具体的構成は本考案の一例であり、同様の作用効果を得られる他の構成又は手段を排除するものではない。
【符号の説明】
【００２６】
１                散粒機
２                枠体
３                掛け紐
４                フック
５                筒体
６                ボルト・ナット
７                内側壁
８                ガイドロッド
９                ガイド環
１０              係止ピン
１１              散布口
１２              ホッパー
１３              整流部
１４              推進機構部
１５              動力源
１６、５１、５２  連結重合片
２１、２２        水平枠体
２３              連結杆
８１              ストッパー
【図１】
0003178529.tif 000003
【図２】
0003178529.tif 000004
【図３】
0003178529.tif 000005
【図４】
0003178529.tif 000006
【図５】
0003178529.tif 000007